(57)【要約】【課題】  ドレンパン付近の空気流れを改善し，筐体内部の通風抵抗を少なくして，送風音の低減を図る。【解決手段】  モータ102と，このモータ102とにより駆動されるファン103と，このファン103の吹出し側に配置された熱交換器104と，この熱交換器104から空気調和機運転時に滴下する水を受けるドレンパン1と，モータ102が取り付けられたキャビネットとを備えた空気調和機の室内機101において，ドレンパン1の水受け部2を凹の曲線で形成したことを特徴としている。【選択図】図１
2007247995.tif 000002
【特許請求の範囲】
【請求項１】
モータと，前記モータとにより駆動されるファンと，前記ファンの吹出し側に配置された熱交換器と，この熱交換器から空気調和機運転時に滴下する水を受ける水受け部を有するドレンパンと，前記モータが取り付けられたキャビネットとを備えた空気調和機の室内機において，前記ドレンパンの水受け部が凹の曲線で形成された凹曲線部を有することを特徴とする空気調和機の室内機。
【請求項２】
請求項１において，前記凹曲線部が前記水受け部の吹出し方向の長さの１／２以上を構成していることを特徴とする空気調和機の室内機。
【請求項３】
請求項１又は２において，前記凹曲線部は，前記熱交換器の取り付け角度に合わせて曲線を開始し，前記熱交換器直後のＲは曲率を大きくとり，吹出口に向かって曲率を小さくしたことを特徴とする空気調和機の室内機。
【請求項４】
請求項１から３のいずれかにおいて，前記水受け部は，吹出口側に，凸状の突起物を備えたことを特徴とする空気調和機の室内機。
【請求項５】
請求項１から４のいずれかにおいて，前記ドレンパンは，吹出口側舌部付近に導風板を備えたことを特徴とする空気調和機の室内機。
【請求項６】
請求項１から５のいずれかにおいて，前記ドレンパンは，吹出側舌部付近に遮水板を備えたことを特徴とする空気調和機の室内機。
【請求項７】
請求項６において，前記遮水板は，複数の穴を備えたことを特徴とする空気調和機の室内機。
【請求項８】
請求項７において，前記穴の大きさは，水滴が通過できない大きさであることを特徴とする空気調和機の室内機。
【発明の詳細な説明】
【技術分野】
【０００１】
本発明は，空調運転時に熱交換器から滴下する水を受けるドレンパンを有する空気調和機の室内機に関するものである。
【背景技術】
【０００２】
空気調和機の室内機の通風抵抗を低減するために，従来から色々な手段が用いられている。特許文献１に開示された空気調和機の室内機においては，多翼ファン吹出し口直後に，この吹出し流れを整流するための整流部材を設け，筐体内で生じる空気流れの乱流発生を低減できるとしている。
【０００３】
【特許文献１】特開2002-106945号公報
【発明の開示】
【発明が解決しようとする課題】
【０００４】
特許文献１の空気調和機の室内機は，ファンの吹出し口と熱交換器との間に設けられ，ファンからの吹出し流を整流することで，熱交換器へより均一な空気流れを導くことができ，効率的な熱交換を促進できると考えられる。しかし，熱交換器に流入した空気流れの向きは，熱交換器の傾きに合わせて偏向される。さらに，空気調和機の室内機には筐体の薄肉化，軽量化が求められており，筐体を薄肉化することにより筐体内部のスペースが限定され，その結果，熱交換器が斜めに配置されることが多い。したがって，熱交換器により偏向された空気流れは，筐体の吹出し口から流出する過程の中で，非常に通風抵抗の大きな流れとなってしまう。特に，特許文献１のドレンパンのように表面を複数の直線部を組み合わせたものとすると、直線部同士の間の角部を風が通過する際に，かの角部が通風抵抗となる。
【０００５】
本発明の目的は，空気調和機の室内機の筐体内部の空気流れの整流化による低騒音化，ならびに通風抵抗低減化を可能とした空気調和機の室内機を得ることにある。
【課題を解決するための手段】
【０００６】
本発明は，上記目的を達成するために，以下の手段を提案する。本発明の一態様では，空気調和機の室内機を，ドレンパンの水受け部が凹の曲線で形成さえｒた凹曲線部を有するものとしている。
【０００７】
さらに，上記構成において，凹曲線部を水受け部の吹出し方向の長さの１／２以上を構成したものとすることが望ましい。
【０００８】
さらに，上記構成において，凹曲線部を，熱交換器の取り付け角度に合わせて曲線を開始し，熱交換器直後のＲは曲率を大きくとり，吹出口に向かって曲率を小さくすることが望ましい。
【０００９】
さらに，上記構成において，水受け部を，吹出口側に，凸状の突起物を備えたものとすることが望ましい。
【００１０】
さらに，上記構成において，前記ドレンパンを，吹出口側舌部付近に導風板を備えたものとすることが望ましい。
【００１１】
さらに，上記構成において，前記ドレンパンを，吹出側舌部付近に遮水板を備えたものとすることが望ましい。
【００１２】
さらに，上記構成において，前記遮水板を，複数の穴を備えたものとすることが望ましい。
【００１３】
さらに，上記構成において，穴の大きさは，水滴が通過できない大きさとすることが望ましい。
【発明の効果】
【００１４】
本発明によれば，騒音低減が可能である空気調和機の室内機を得ることができる。
【発明を実施するための最良の形態】
【００１５】
以下，本発明の実施の形態について，図１〜図３を用いて説明する。
【実施例１】
【００１６】
図１は本発明を適用してなる空気調和機の室内機の実施形態の断面図を示す。
図１より，本発明を適用してなる空気調和機の室内機101の筐体内には電動機102により駆動されるファン103と室内熱交換器104とが収納されている。図中では省略したが，上記室内機101には制御装置等の電気部品も備えられており，室内機と組み合わされる室外機とともに冷凍サイクルを構成している。また，空気調和機運転時に熱交換器104から滴下する水が発生し，これを受けるドレンパン1が設けられている。以上のように構成された空気調和機の室内機を，筐体側面に設けた吊り金具とボルトとにより天井から吊り下げている。
【００１７】
ドレンパン1は水受け部2を凹の曲線で形成した凹曲線部を有する。凹曲線部は，熱交換器104を通過して筐体下部へ強く向きを変えられた空気流れ3の向きと同じくなるように水受け部2の曲線を開始し，筐体吹出し部へ向かってなめらかに空気流れを変えることができる。凹曲線部は，水受け部の吹出し方向の長さの１／２以上を構成することが望ましい。また，本実施例では，凹曲線部は，熱交換器の取り付け角度に合わせて曲線を開始し，熱交換器直後のＲは曲率を大きくとり，吹出口に向かって曲率を小さくした構成とすることにより，なめらかに風が通過する。したがって，大幅な騒音低減につながる。
【実施例２】
【００１８】
図２は，図１で示したドレンパン1の第２の実施形態を示している。図１において，水受けR部2の筐体吹出し側勾配4を小さくした場合，空気流れ3の強さによっては水が吹出し側舌部を乗り越えてしまう場合が考えられる。そこで，水受けR部2の筐体吹出し側勾配部4に空気流れを妨げない程度の小さな突起群5を設け，水の流出を防いでいる。
【実施例３】
【００１９】
図３は，図１で示したドレンパン1の第３の実施形態を示している。凹曲線で形成された水受け部2を持つドレンパン1は，吹出し側舌部付近に導風板6を備えることで，筐体入口付近での空気流れ7が整流され，さらなる通風抵抗低減効果を得ることができる。
【実施例４】
【００２０】
図４は，図１で示したドレンパン1の第４の実施形態を示している。水受けR部2の筐体吹出し側勾配4を小さくした場合，空気流れの強さによっては水が吹出し側舌部を乗り越えてしまう場合が考えられる。そこで，水受けR部2の筐体吹出し側舌部に遮水板8を設け，水の流れ9を遮水板8で止め，筐体吹出し側へ水が流出することを防いでいる。さらに，遮水板8には水滴が通過できない程度の穴10を多数有することで，空気流れ11は遮水板9を通過できることができる。また，穴10により空気流れ11は整流され，さらなる通風抵抗低減効果を得ることができる。
【図面の簡単な説明】
【００２１】
【図１】本発明の実施の形態に係る空気調和機の室内機の縦断面図を示す図である。
【図２】本発明の第２の実施形態のドレンパン部の縦断面を示す図である。
【図３】本発明の第３の実施形態のドレンパン部の縦断面を示す図である。
【図４】本発明の第４の実施形態のドレンパン部の縦断面を示す図である。
【符号の説明】
【００２２】
1  ドレンパン
2  水受けR部（水受け部）
3  空気流れ
4  吹出し勾配部
5 突起群
6  導風板
7  導風板による空気流れ
8  遮水板
9  遮水板適用時の水の流れ
10  通風穴
11  遮水板適用時の空気流れ
101  空気調和機の室内機
102  電動機（モータ）
103  ファン（送風手段）
104  熱交換器
【図１】
2007247995.tif 000003
【図２】
2007247995.tif 000004
【図３】
2007247995.tif 000005
【図４】
2007247995.tif 000006